【手続補正書】
【提出日】平成18年8月4日(2006.8.4)
【手続補正１】
【補正対象書類名】特許請求の範囲
【補正対象項目名】全文
【補正方法】変更
【補正の内容】
【特許請求の範囲】
【請求項１】
遊技盤と、該遊技盤を囲むように保持する枠状体とを有し、上記遊技盤の盤面上に発射した遊技球を所定の入球口に入球させて賞球を獲得する弾球遊技機であって、上記遊技盤および上記枠状体の背後に、賞球または貸球としての遊技球を球タンクから発射待ちの遊技球を貯留する遊技球皿に供給する遊技球供給通路と、該遊技球供給通路の途中に配置されて遊技球の流下数を調整する流下数調整手段と、上記遊技球供給通路から分岐し球タンクから遊技球を抜く球抜き通路と、上記遊技球供給通路から上記球抜き通路への分岐部に配置されて球抜きの許容と禁止とを切り換える球抜き切換手段と、上記遊技球皿が遊技球で満杯で上記遊技球供給通路側に溢れた遊技球を別の遊技球皿に誘導する溢れ球通路とを有する弾球遊技機において、
上記遊技球供給通路は、払出ユニットと、第１通路ユニットと、第２通路ユニットとからなり、これら払出ユニット、第１通路ユニット、第２通路ユニットを上記枠状体に固定するようになし、
上記流下数調整手段として、上記払出ユニット内には、上記遊技球供給通路の途中部分をなす第１払出通路を形成するとともに、該第１払出通路で遊技球の流下とせき止めとを切換え自在な流下切換手段を配置し、
かつ上記払出ユニット内に、上記分岐部と、上記球抜き切換手段と、上記球抜き通路の上流部を構成する第１球抜き通路とを設けたことを特徴とする弾球遊技機。
【請求項２】
請求項１に記載の弾球遊技機において、
上記第１通路ユニット内に、上記第１払出通路の下流端で連通し、上記遊技球供給通路の一部分をなす第２払出通路と、
上記第１球抜き通路の下流端で連通し、上記球抜き通路の一部分をなす第２球抜き通路と、
上記第２払出通路の通路壁の一部を共通として該通路壁に沿ってなり、上記溢れ球通路の一部分をなす第１溢れ球通路とを設け、
上記第１溢れ球通路の最上流部に、上記第２払出通路と上記第１溢れ球通路とに共通となる上記通路壁の一部を貫通する開口部を形成して、溢れ球を上記溢れ球通路へ取込む溢れ球通路口とした弾球遊技機。
【請求項３】
請求項２に記載の弾球遊技機において、
上記第２通路ユニット内に、上記第２払出通路の下流端で連通し、上記遊技球供給通路の一部分をなす第３払出通路と、
上記第２球抜き通路の下流端で連通し、上記球抜き通路の一部分をなす第３球抜き通路と、
上記第１溢れ球通路の下流端で連通し、上記溢れ球通路の一部分をなす第２溢れ球通路とを設けた弾球遊技機。
【手続補正２】
【補正対象書類名】明細書
【補正対象項目名】０００９
【補正方法】変更
【補正の内容】
【０００９】
請求項１記載の発明では、遊技盤と、該遊技盤を囲むように保持する枠状体とを有し、上記遊技盤の盤面上に発射した遊技球を所定の入球口に入球させて賞球を獲得する弾球遊技機であって、上記遊技盤および上記枠状体の背後に、賞球または貸球としての遊技球を球タンクから発射待ちの遊技球を貯留する遊技球皿に供給する遊技球供給通路と、該遊技球供給通路の途中に配置されて遊技球の流下数を調整する流下数調整手段と、上記遊技球供給通路から分岐し球タンクから遊技球を抜く球抜き通路と、上記遊技球供給通路から上記球抜き通路への分岐部に配置されて球抜きの許容と禁止とを切り換える球抜き切換手段と、上記遊技球皿が遊技球で満杯で上記遊技球供給通路側に溢れた遊技球を別の遊技球皿に誘導する溢れ球通路とを有する弾球遊技機において、
上記遊技球供給通路は、払出ユニットと、第１通路ユニットと、第２通路ユニットとからなり、これら払出ユニット、第１通路ユニット、第２通路ユニットを上記枠状体に固定するようになし、
上記流下数調整手段として、上記払出ユニット内には、上記遊技球供給通路の途中部分をなす第１払出通路を形成するとともに、該第１払出通路で遊技球の流下とせき止めとを切換え自在な流下切換手段を配置し、
かつ上記払出ユニット内に、上記分岐部と、上記球抜き切換手段と、上記球抜き通路の上流部を構成する第１球抜き通路とを設ける。
【手続補正３】
【補正対象書類名】明細書
【補正対象項目名】００１０
【補正方法】変更
【補正の内容】
【００１０】
球抜き通路の上流端が流下数調整手段たる払出ユニットに位置することで、払出ユニットよりも上流には球抜き通路は不要となる。これにより、遊技球の供給排出系をコンパクトにすることができる。また、空いたスペースを有効利用することができる。また、流下切換手段と球抜き切換手段とを共通の払出ユニット内に配設したことで、コンパクト化し、部品点数を少なくすることができる。
【手続補正４】
【補正対象書類名】明細書
【補正対象項目名】００１１
【補正方法】変更
【補正の内容】
【００１１】
払出ユニット、第１通路ユニット、第２通路ユニットを上記枠状体に固定するようにしたので、従来、遊技球の供給排出系が形成されていた機構盤の負担を軽減し、また、機構盤自体を省略してコストダウンを図ることができる。
【手続補正５】
【補正対象書類名】明細書
【補正対象項目名】００１２
【補正方法】変更
【補正の内容】
【００１２】
遊技球供給通路および球抜き通路を、流下数調整手段たる払出ユニット、該払出ユニットよりも下流の部分で払出ユニットとは別にユニット化した第１および第２通路ユニットで構成することで、上記下流の部分で通路に破損が生じても、流下切換手段や球抜き切換手段を有する払出ユニットまで交換する必要がなくなり、故障時に発生するコストの低減を図ることができる。
【手続補正６】
【補正対象書類名】明細書
【補正対象項目名】００１３
【補正方法】変更
【補正の内容】
【００１３】
請求項２記載の発明では、請求項１に記載の弾球遊技機において、上記第１通路ユニット内に、上記第１払出通路の下流端で連通し、上記遊技球供給通路の一部分をなす第２払出通路と、
上記第１球抜き通路の下流端で連通し、上記球抜き通路の一部分をなす第２球抜き通路と、
上記第２払出通路の通路壁の一部を共通として該通路壁に沿ってなり、上記溢れ球通路の一部分をなす第１溢れ球通路とを設け、
上記第１溢れ球通路の最上流部に、上記第２払出通路と上記第１溢れ球通路とに共通となる上記通路壁の一部を貫通する開口部を形成して、溢れ球を上記溢れ球通路へ取込む溢れ球通路口とする。
【手続補正７】
【補正対象書類名】明細書
【補正対象項目名】００１４
【補正方法】変更
【補正の内容】
【００１４】
遊技球供給通路のうち溢れ球通路口から遊技球皿に到る部分が遊技球を貯留する作用を奏するので、遊技球皿の貯留可能数が実質的に増え、別の遊技球皿やドル箱から遊技球を遊技球皿に移し変える回数が減り、遊技者が遊技に集中できるとともに、別の遊技球皿やドル箱から遊技球皿への遊技球の移し変えにより遊技球の表面の汚れが遊技者の手に移ることを防止することができる。また、溢れ球通路が、遊技球供給通路と共通となる上記通路壁に沿って形成されることで、遊技球供給通路と溢れ球通路との間のデッドスペースをなくし、その分、遊技球の供給排出系をコンパクトにすることができる。また、空いたスペースを有効利用することができる。
【手続補正８】
【補正対象書類名】明細書
【補正対象項目名】００１５
【補正方法】変更
【補正の内容】
【００１５】
第１通路ユニットに遊技球払出通路の一部、球抜き通路の一部および溢れ球通路の一部をすべて通すことで、部品点数の軽減とともにコンパクト化やコストダウンを図ることができる。さらに、払出通路、球抜き通路および溢れ球通路いずれかの通路で球詰まりが生じた場合、どの通路で生じたのかが一目瞭然である。
【手続補正９】
【補正対象書類名】明細書
【補正対象項目名】００１６
【補正方法】変更
【補正の内容】
【００１６】
請求項３記載の発明では、  請求項２に記載の弾球遊技機において、
上記第２通路ユニット内に、上記第２払出通路の下流端で連通し、上記遊技球供給通路の一部分をなす第３払出通路と、
上記第２球抜き通路の下流端で連通し、上記球抜き通路の一部分をなす第３球抜き通路と、
上記第１溢れ球通路の下流端で連通し、上記溢れ球通路の一部分をなす第２溢れ球通路とを設ける。
【手続補正１０】
【補正対象書類名】明細書
【補正対象項目名】００１７
【補正方法】変更
【補正の内容】
【００１７】
第２通路ユニットに遊技球払出通路の一部、球抜き通路の一部および溢れ球通路の一部をすべて通すことで、部品点数の軽減とともにコンパクト化やコストダウンを図ることができる。さらに、払出通路、球抜き通路および溢れ球通路いずれかの通路で球詰まりが生じた場合、どの通路で生じたのかが一目瞭然である。
【手続補正１１】
【補正対象書類名】明細書
【補正対象項目名】００１８
【補正方法】削除
【補正の内容】
【手続補正１２】
【補正対象書類名】明細書
【補正対象項目名】００１９
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】変更
【補正の内容】
【００２１】
本発明の好適な実施の形態を図面にしたがって説明する。図１に本発明の弾球遊技機の正面を示す。弾球遊技機１ａにはプリペイドカードユニット１ｂが１つずつ併設され、遊技場に複数列レイアウトされる遊技機設置島には、弾球遊技機１ａとプリペイドカードユニット１ｂとが交互に配置される。弾球遊技機１ａは、前面枠１１１と下皿ユニット１１３とにより前面の意匠を規定される。図２は前面枠１１１を中心にアッセンブリ化した前面枠ユニットを分解した様子を示し、図３は前面枠１１１の背後の構成を分解した様子を示している。図４は遊技機の正面で、前面枠１１１および下皿ユニット１１３および後述する遊技盤１７を外した状態を示している。図５は遊技機の背面で、遊技盤１７および後述する遊技球の供給排出系などを外した状態を示している。前面枠１１１および下皿ユニット１１３は枠状体である内枠１１５に取付けられる。内枠１１５は縦長長方形の枠状部材で、その四角形の内側の部分に遊技盤１７を囲むように保持するようになっている。内枠１１５は、弾球遊技機１ａを遊技機設置島に固定するための外枠１１４に固定される。
【手続補正１５】
【補正対象書類名】明細書
【補正対象項目名】００４０
【補正方法】変更
【補正の内容】
【００４０】
第１、第２通路ユニット３４，３５には、さらに別の遊技球通路６１，６２が形成してある。すなわち、第1通路ユニット３４は、ハウジング３４１が図１１中、右側すなわち遊技機の左右方向に膨出し、共通の通路壁３４２を挟んで上記別の遊技球通路６１が形成される（図１５）。通路壁３４２はハウジング３４１内に中板を挿入してなる。第2通路ユニット３５には、第1通路ユニット３４の上記別の遊技球通路６１と連通する遊技球通路６２が形成してある。これらの遊技球通路６１，６２は、後述するように、上皿１２１に向けて払い出されて溢れた溢れ球を下皿１２２に誘導する溢れ球通路６１，６２であり、以下、適宜、遊技球通路６１を第1溢れ球通路６１といい、遊技球通路６２を第2溢れ球通路６２という。上記別の遊技球通路６１を第２払出通路４３に対して、遊技機左右方向に並列させることで、第２通路ユニット３４を遊技機前後方向に薄型化することができる。